(57)【要約】【課題】簡単な構成で光ピックアップの移動を支持する主軸及び副軸の位置調整を行うことを可能とするディスク再生装置を提供することを目的とする。【解決手段】主軸（７）と、主軸と勘合する勘合部（２５、２６）を有し且つ副軸（２１）と一体的に構成されたガイド部材（２０）と、主軸の一方の端部を保持する第１軸受部（３０）と、第１軸受部において主軸の保持位置を調整するための第１調整部材（３１）と、主軸の他方の端部を保持する第２軸受部（３３）と、第２軸受部において主軸の保持位置を調整するための第２調整部材（３４）と、主軸を支点とした副軸の回転角度を調整するための第３調整部材（３５）と、主軸及び前記副軸に沿って移動する光ピックアップ（１０）を有することを特徴とするディスク再生装置（１）。【選択図】図２
2009223994.tif 000002
【特許請求の範囲】
【請求項１】
主軸と、
前記主軸と勘合する勘合部を有し、副軸と一体的に構成されたガイド部材と、
前記主軸の一方の端部を保持する第１軸受部と、
前記第１軸受部において、主軸の保持位置を調整するための第１調整部材と、
前記主軸の他方の端部を保持する第２軸受部と、
前記第２軸受部において、主軸の保持位置を調整するための第２調整部材と、
前記主軸を支点とした前記副軸の回転角度を調整するための第３調整部材と、
前記主軸及び前記副軸に沿って移動する光ピックアップと、
を有することを特徴とするディスク再生装置。
【請求項２】
前記第１軸受部において前記主軸を一方向に付勢する第１バイアス部材、及び／又は前記第２軸受部において前記主軸を一方向に付勢する第２バイアス部材を更に有する、請求項１に記載のディスク再生装置。
【請求項３】
前記主軸の先端部近傍には、前記勘合部と勘合するためのスリップ防止機構が設けられている、請求項１又は２に記載のディスク再生装置。
【請求項４】
前記ガイド部材を付勢するためのガイド部材バイアス部材を更に有する、請求項１〜３の何れか一項に記載のディスク再生装置。
【請求項５】
前記ガイド部材バイアス部材は、前記光ピックアップの移動方向、及び／又は前記光ピックアップの移動方向と垂直な方向に、前記ガイド部材を規制する、請求項４に記載のディスク再生装置。
【請求項６】
前記主軸を付勢するための主軸バイアス部材を更に有する、請求項１〜５の何れか一項に記載のディスク再生装置。
【請求項７】
前記主軸バイアス部材は、前記光ピックアップの移動方向、及び／又は前記光ピックアップの移動方向と垂直な方向に、前記主軸を規制する、請求項６に記載のディスク再生装置。
【発明の詳細な説明】
【技術分野】
【０００１】
本発明は、ディスク再生装置、特に、光ピックアップをディスクに沿って移動させるための主軸及び副軸を有するディスク再生装置に関する。
【背景技術】
【０００２】
ディスク再生装置において、ディスクへの記録や再生を行うために、対物レンズを有する光ピックアップを２本の支持ガイドに沿ってディスクの半径方向に移動させることが知られている（例えば、特許文献１）。
【０００３】
また、情報の記録や再生を行うためのディスクの高密度化が進んでいる。このような高密度化されたディスクへの記録や再生を行うためには、レーザ光のスポット径をより小さくする必要がある。その為、ＢＤ（Blue-ray Disc）及びＨＤ−ＤＶＤ（High Definition Digital Versatile Disc)に対応した再生装置では、波長が４０５ｎｍの青色レーザと開口数（ＮＡ）が０．８５（ＢＤ用）又は０．６５（ＨＤ−ＤＶＤ用）といった対物レンズを利用している。このような高ＮＡ対物レンズを利用する場合には、対物レンズとディスク表面との位置関係を厳密に維持し、光軸の角度（スキュー）が常にずれないようにしなければならない。
【０００４】
そこで、光ピックアップの移動を支持する２本の支持ガイドは、厳密に位置調整が行われる必要があり、少なくとも、支持ガイドそれぞれについて、ディスクの内側及び外側、即ち合計４点の調整を行う必要があった。しかしながら、製造上、４点調整では調整が集束せず、不安定となり易いという問題があった。
【０００５】
【特許文献１】特開平５−９４６２７号公報（図１、第５頁）
【発明の開示】
【発明が解決しようとする課題】
【０００６】
そこで、本発明は、上記の問題点を解決することを可能とするディスク再生装置を提供することを目的とする。
【０００７】
また、本発明は、簡単な構成で光ピックアップの移動を支持する主軸及び副軸の位置調整を行うことを可能とするディスク再生装置を提供することを目的とする。
【課題を解決するための手段】
【０００８】
本発明に係るディスク再生装置は、主軸と、主軸と勘合する勘合部を有し且つ副軸と一体的に構成されたガイド部材と、主軸の一方の端部を保持する第１軸受部と、第１軸受部において主軸の保持位置を調整するための第１調整部材と、主軸の他方の端部を保持する第２軸受部と、第２軸受部において主軸の保持位置を調整するための第２調整部材と、主軸を支点とした副軸の回転角度を調整するための第３調整部材と、主軸及び前記副軸に沿って移動する光ピックアップを有することを特徴とする。
【発明の効果】
【０００９】
本発明に係るにディスク再生装置によれば、副軸を構成する移動ガイドを有するガイド部材に主軸を組み合わせる構成としたので、３点調整によって、主軸と副軸の調整を簡単且つ厳密に行うことが可能となった。
【発明を実施するための最良の形態】
【００１０】
以下図面を参照して、本発明に係るディスク再生装置について説明する。但し、本発明の技術的範囲はそれらの実施の形態に限定されず、特許請求の範囲に記載された発明とその均等物に及ぶ点に留意されたい。
【００１１】
図１はディスク再生装置１の概略構成図である。
【００１２】
ディスク再生装置１は、ＣＤ、ＤＶＤ、ＢＤ、ＨＤ−ＤＶＤ、ＭＤ等のディスク２から光学情報を再生（及び／又は記録）するための光ピックアップ１０、ディスク２を回転させるためのターンテーブル及びモータ等を含んで構成されるディスク回転手段３、駆動モータ４、駆動モータ４による回転に従ってディスク２の半径方向Ａに沿って光ピックアップ１０を移動させるためのリードスクリュー（送りねじ）５、リードスクリュー保持部６、光ピックアップ１０の移動を支持するための主軸７、ガイド部材２０等を有している。また、ガイド部材２０は、光ピックアップ１０の移動を支持するための副軸として機能するガイド部２１を含んで構成されている。さらに、光ピックアップ１０は、ディスク２から情報を再生（及び／又は記録）するための対物レンズ１１及びガイド部２１上を擦動するための擦動部１２等を有している。
【００１３】
図２は光ピックアップ移動機構の概略構成を示す図であり、図３は図２のＸＸ´断面図である。なお、図２では、便宜上、ガイド部材２０の後述する上板２７部分を透視した状態で示している。また、図４はガイド部材を示す斜視図であり、図５は主軸の第１の軸受け３０の詳細を示す図であり、図６はガイド部材と主軸との関係を示す図であり、図７はガイド部材バイアス部材５０を示す図である。
【００１４】
図２及び３に示すように、光ピックアップ１０は、光ピックアップ１０を支持すると共にガイド部材２０のガイド部２１上を擦動するための擦動部材１２、リードスクリュー５と係合するための係合部材１３、光ピックアップ１０を支持すると共に主軸７を勘合する勘合部１４等を有している。光ピックアップ１０は、主軸７とガイド部２１とに支持されながら、係合部１３とリードスクリュー５と係合しているため、リードスクリュー５が駆動モータ４によって回転されるにしたがって、ディスク２の半径方向Ａ（図１参照）に沿って前後に移動可能に構成されている。
【００１５】
図４に示すように、ガイド部材２０は、光ピックアップ１０の擦動部２１を支持するガイド部２１、ガイド部２１上に設けられた第１ガイド穴２１及び第２ガイド穴２２、第３調整ネジ３５と勘合するネジ用穴２４、主軸７と勘合するための第１勘合部２５及び第２勘合部２６、光ピックアップ１０等を保護するための上板２７等を有している。
【００１６】
図５（ａ）に示すように、主軸７の先端部近傍には、スリップ防止機構として機能するＤカット６０がなされており、ガイド部材２０の第２勘合部２６にも主軸７のＤカット６０に合わせたＤカット穴が設けられている。図５（ａ）に示すような構成としたのは、ガイド部材２０と主軸７とがスリップする可能性があるからである。このように構成することによって、後述する位置調整を行う際に、ガイド部２０と主軸７とが一体的に位置調整されるように構成されている。なお、図５（ａ）では、ガイド部材２０の第２勘合部２６と主軸７の一方の先端部近傍との関係を示したが、ガイド部材２０の第１勘合部２５と主軸７の他の一方の先端部近傍についても同様に構成されている。
【００１７】
図５（ｂ）及び図５（ｃ）は、本発明に係るディスク再生装置１において採用することができる他の構成を示している。図５（ｂ）は、主軸７´の先端部近傍にＤカットを２箇所有するスリップ防止機構６１を設け、それに応じてガイド部材２０´の第２勘合部２６´にもＤカット２箇所を有する穴を設けたものである。また、図５（ｃ）は、主軸７´´の先端部近傍にローレット加工部６２を設け、ガイド部材２０´´の第２勘合部２６´´は丸穴としたものである。図５（ｂ）及び（ｃ）に記載する構成はいずれも、ガイド部材と主軸とのスリップを防止するための機構である。しかしながら、ガイド部材と主軸とのスリップを考慮しなくて良い場合には、単にガイド部材２０の第２勘合部２６に丸穴を設け、丸穴に主軸７を圧入又は接着するようにしても良い。
【００１８】
図５（ａ）に示したように、主軸７は、両端部のＤカット部６０を、ガイド部材２０の第１勘合穴２５及び第２勘合穴２６にそれぞれ勘合させた後、その先端部を、それぞれ第１軸受部３０及び第２軸受部３３によって回転可能に支持されている。図６に示すように、第１の軸受け３０内部には、バイアスバネ３２が配置されており、主軸７を図６上において常に上方向にバイアスしているので、第１調整ネジ３１を矢印Ｃの方向に上下させることによって、主軸７の位置を上下に微調整することが可能となる。なお、図６では、第１軸受部３０について示したが、第２軸受部３３も同様の構成であって、第２調整ネジ３４によって、主軸７の位置を上下に微調整することが可能である。
【００１９】
図７（ａ）に示すように、ガイド部材バイアス部材５０は、コの字形状をしており第１バネ５３及び第２バネ５４を有し、ネジ５１及び５２によって枠体９に固定されている。
【００２０】
図７（ｂ）に示すように、第１バネ５３の先端部にはドーム形状の第１接触部５５が設けられ、第２バネ５４の先端部にはドーム形状の第２接触部５６が設けられている。第１接触部５５がガイド部材２０の第１ガイド穴２１の一辺（図７（ｂ）における図中下側の辺）と接触することによって、ガイド部材２０を光ピックアップ１０の移動方向Ａに対して垂直な矢印Ｄの方向にバイアスする。また、第２接触部５６がガイド部材２０の第２ガイド穴２２の一辺（図７（ｂ）における図中右側の辺）と接触することによって、ガイド部材２０を光ピックアップ１０の移動方向Ａと同じ方向にバイアスする。
【００２１】
さらに、第１軸受部３０とガイド部材２０との間の主軸７の周りには、バイアスバネ４０が設けられ、ガイド部材２０を光ピックアップ１０の移動方向Ａと同じ方向にバイアスしている。
【００２２】
図７等に示したように、バイアスバネ４０及びガイド部材バイアス部材５０によって、ガイド部２０は、光ピックアップの移動方向Ａ及び移動方向Ａと主直な方向Ｄのそれぞれにおいて、ガタが発生しないようにバイアスされている。
【００２３】
以下、主軸７と副軸として機能するガイド部２１の位置調整について説明する。
【００２４】
前述したように、第１軸受部３０及び第２軸受部３３では、それぞれ第１調整ネジ３１及び第２調整ネジ３４によって、主軸７の両端の位置決めを行うことができる。これによって、主軸７の長手方向を光ピックアップ１０の移動方向として好ましい方向と正確に位置合わせすることができる。即ち、光ピックアップ１０におけるディスクの半径方向の角度ズレ（ラジアルスキュー）を好ましい範囲内に収めることができる。
【００２５】
また、前述したように、ガイド部材２０は、第１勘合部２５及び第２勘合部２６において、主軸７と勘合しており、副軸として機能するガイド部２１はガイド部材２０と一体的に構成されているので、第１調整ネジ３１及び第２調整ネジ３４を調整して主軸７の両端の位置決めを行うことによって、ガイド部材２１の長手方向を光ピックアップ１０の移動方向として好ましい方向と正確に位置合わせすることも同時に行うことができる。
【００２６】
さらに、前述したように、ガイド部材２０は、ネジ用穴２４と勘合した第３調整ネジ３５によって、ディスク再生装置１の枠体９に対して固定されている。図３に示すように、枠体９とガイド部材２０との間には、第３調整ネジ３５を介して、バイアスバネ３６が配置されており、ガイド部材２０を図３において図の上方に常にバイアスを付加する構成となっている。したがって、第３調整ネジ３５を調整することによって、ガイド部材２０の第３調整ネジ３５のポイントにおいて、矢印Ｂの方向の高さ調整を行うことができる。即ち、第３調整ネジ３５でガイド部材２０の高さ調整を行うことによって、主軸７を支点としたガイド部２１の回転角度を調整できるので、ガイド部２１の光ピックアップ１０の移動方向Ａと垂直方向Ｄにおける角度ズレ（タンジェンシャルスキュー）を好ましい範囲内に収めることができる。
【００２７】
以上のように、第１調整ネジ３１、第２調整ネジ３４及び第３調整ネジ３５による３点の調整によって、主軸７と副軸として機能するガイド部２１のディスクの半径方向（ラジアル方向）及びディスクの半径方向と垂直な方向（タンジェンシャル方向）における角度調整を正確に行うことが可能となった。
【００２８】
また、第１軸受部３０及び第２軸受け部３３におけるバイアスバネ３２、ガイド部材２０の第１勘合部２５及び第２勘合部２６と主軸７の先端部近傍のＤカット部６０によって、主軸７とガイド部材２０とのガタが抑えられるので、第１調整ネジ３１、第２調整ネジ３４及び第３調整ネジ３５による３点の調整による調整ズレが防止されている。なお、第１軸受部３０及び第２軸受け部３３におけるバイアスバネ３２、及び／又はガイド部材２０の第１勘合部２５及び第２勘合部２６と主軸７の先端部近傍のＤカット部６０は、主軸７とガイド部材２０との間に許容範囲以上のガタが発生しない可能性のある場合には、採用しなくても良い。
【００２９】
さらに、バイアスバネ４０及びガイド部材バイアス部材５０によって、ガイド部材２０が所定の方向に付勢されて位置決めされているので、第１調整ネジ３１、第２調整ネジ３４及び第３調整ネジ３５による３点の調整による調整ズレがさらに防止されている。なお、バイアスバネ４０及び／又はガイド部材バイアス部材５０は、ガイド部材２０が充分に固定されている場合には、採用しなくても良い。
【００３０】
図８は、他のガイド部材１２０を示す図である。
【００３１】
ガイド部材１２０は、本発明に係るディスク再生装置１において、前述したガイド部材２０の代わりに利用することができる。図４に示したガイド部材２０は、単体として構成されているが、図８に示すガイド部材１２０では、製造上の制約を避けるために、複数の部品から構成されている。
【００３２】
即ち、ガイド部材１２０は、光ピックアップ１０の擦動部１２が擦動するガイド部１２１、主軸７と勘合する第１勘合部１２５を有する第１主軸ガイド連結部１２８、主軸７と勘合する第２勘合部１２６を有する第２主軸ガイド連結部１２９、光ピックアップ１０を保護する上板としても機能し、第１主軸ガイド連結部１２８及び第２主軸ガイド連結部１２９を連結するための連結部１２７等から構成されている。
【００３３】
ガイド部１２１は、第１主軸ガイド連結部１２８及び第２主軸ガイド連結部１２９とが連結部１２７によって組み合わされ、ネジ止めされることによって、間接的に固定されている。また、ガイド部１２１には、ガイド部材２０と同様に、第１ガイド穴１２１、第２ガイド穴１２２及び第３調整ネジ３５と勘合するネジ用穴１２４が設けられている。
【００３４】
図９は、他のガイド部バイアス部材を示す図である。
【００３５】
図７等に示すガイド部バイアス部材５０は、コの字状の一部材であったが、図９の例では、ガイド部バイアス部材は、第１バネ１５３と第２バネ１５４の２部材から構成され、それぞれネジ１５１及びネジ１５２によって、枠体９に固定されている。図９に示すガイド部バイアス部材は、前述したガイド部バイアス部材５０を単純に２部材に分離しただけであって、他の構成、機能及び用途等は同じである。第１バネ１５３と第２バネ１５４は、本発明に係るディスク再生装置１において、ガイド部バイアス部材５０の代わりに利用することが可能である。
【００３６】
図１０は、更に他のガイド部バイアス部材を示す図である。
【００３７】
図１０（ａ）は、図１０の例でガイド部バイアス部材として機能する第１バネ１５３を示し、図１０（ｂ）は図１０（ａ）のＹＹ´断面図を示している。
【００３８】
図９の例では、２つのバネを用いたが、図１０の例では、第１バネ１５３のみを用いている。第１バネ１５３の先端部にはドーム形状の第１接触部１５５が設けられ、第１接触部１５５がガイド部材２０の第１ガイド穴２２の一辺（図１０（ｂ）における図中右側の辺）と接触することによって、ガイド部材２０を光ピックアップ１０の移動方向Ａに対して垂直な矢印Ｄの方向にバイアスする。これによって、ガイド部材２０が、光ピックアップ１０の移動方向Ａに対して垂直な矢印Ｄの方向でガタが発生しないように、バイアスが付勢されることとなる。第１バネ１５３は、本発明に係るディスク再生装置１において、ガイド部バイアス部材５０の代わりに利用することが可能である。
【００３９】
図１１は、主軸のバイアス機構を示す図である。
【００４０】
図１１（ａ）の例では、主軸７を第１軸受部３１及び第２軸受部３３の外側から、主軸７の両端に斜め方向に接する、同程度の荷重を有するバイアスバネ１６０及び１６１を取り付けて挟み込んでいる。これによって、主軸７を光ピックアップ１０の移動方向Ａ及び移動方向Ａと垂直な方向Ｄの方向に対して規制して、方向Ａ及びＤ方向に発生するガタを抑えることができる。図１１（ａ）に示す構成は、本発明に係るディスク再生装置１において採用することが可能である。
【００４１】
図１１（ｂ）の例では、主軸７を第１軸受部３１及び第２軸受部３３の外側から、主軸７の両端に斜め方向に接する、バイアスバネ１６２及び１６３を取り付けて挟み込んでいる。図１１（ｂ）の例では、バイアスバネ１６２の荷重がバイアスバネ１６３より強くなるように設定されている。荷重に差があることによって、主軸７を一方向に強く押し付けることから、方向Ａ及びＤ方向に発生するガタをより抑えることができる。なお、バイアスバネ１６３の荷重をバイアスバネ１６２の荷重より大きくするように設定しても良い。図１１（ａ）に示す構成は、本発明に係るディスク再生装置１において採用することが可能である。
【００４２】
図１１（ｃ）の例では、主軸７を第２軸受部３３に圧入し、バイアスバネ１６４によって第１軸受部３１の側から主軸７を付勢するように構成した。図１１（ｃ）の例は、主軸７の第２軸受部３３への圧入は、調整の際、第２調整ネジ３４にて移動する必要があることから、極力低圧入としなければならないので、多少発生するガタをバイアスバネ１６４にて抑えようとするものである。図１１（ｃ）に示す構成は、本発明に係るディスク再生装置１において採用することが可能である。
【図面の簡単な説明】
【００４３】
【図１】ディスク再生装置１の概略構成図である。
【図２】光ピックアップ移動機構の概略構成を示す図である。
【図３】図２のＸＸ´断面図である。
【図４】ガイド部材を示す斜視図である。
【図５】ガイド部材と主軸との関係を示す図である。
【図６】主軸の軸受部の詳細を示す図である。
【図７】ガイド部材バイアス部材を示す図である。
【図８】ガイド部材を示す斜視図である。
【図９】他のガイド部材バイアス部材を示す図である。
【図１０】更に他のガイド部材バイアス部材を示す図である。
【図１１】主軸バイアス機構を示す図である。
【符号の説明】
【００４４】
１    ディスク再生装置
２    ディスク
７    主軸
１０    光ピックアップ
２０    ガイド部材
２１    ガイド部
２５    第１勘合部
２６    第２勘合部
３０    第１軸受部
３１    第１調整ネジ
３３    第２軸受部
３４    第２調整ネジ
３５    第３調整ネジ
４０    バイアスバネ
５０    ガイド部バイアス部材
【図１】
2009223994.tif 000003
【図２】
2009223994.tif 000004
【図３】
2009223994.tif 000005
【図４】
2009223994.tif 000006
【図５】
2009223994.tif 000007
【図６】
2009223994.tif 000008
【図７】
2009223994.tif 000009
【図８】
2009223994.tif 000010
【図９】
2009223994.tif 000011
【図１０】
2009223994.tif 000012
【図１１】
2009223994.tif 000013